(57)【要約】【課題】本発明の目的は、Ｗｅｂ操作画面を個別に作成する必要のないネットワーク被管理装置を提供することである。【解決手段】ネットワーク被管理装置の管理対象項目をＭＩＢ形式で定義する管理項目定義と、前記管理項目定義を読み込み画面表示に必要な属性を抽出する管理項目解析部と、前記管理項目解析部で抽出した属性を画面情報に変換する変換部とを備え、管理項目定義より被管理装置のＷｅｂ操作画面を生成することによって、個々の装置のＷｅｂ操作画面を人の手を介すことなく、自動的に生成することが可能となる。【選択図】図１
2006113713.tif 000002
【特許請求の範囲】
【請求項１】
ネットワークを介して管理装置と接続され、前記管理装置の指示に従い管理対象に対する操作を行うネットワーク被管理装置であって、
被管理装置の管理対象項目をＭＩＢ形式で定義する管理項目定義と、前記管理項目定義を読み込み画面表示に必要な属性を抽出する管理項目解析部と、前記管理項目解析部で抽出した属性を画面情報に変換する変換部とを備えたことを特徴とする、ネットワーク被管理装置。
【請求項２】
ＭＩＢに定義されない属性を管理項目毎に定義する追加属性定義を備え、前記管理項目解析部において前記追加属性定義を読み込み前記管理項目の属性として抽出することを特徴とする、請求項１に記載のネットワーク被管理装置。
【請求項３】
認証機能を有するプロトコル処理部を備え、前記追加属性定義において管理項目ごとのアクセスレベルを定義し、
前記変換部において、プロトコル処理部から通知された認証情報と追加属性定義に定義されるアクセスレベルを比較し、許可されている項目に対して変換を行う機能を備えたことを特徴とする、請求項２に記載のネットワーク被管理装置。
【請求項４】
ネットワークを介して管理装置と接続され、前記管理装置の指示に従い管理対象に対する操作を行うネットワーク被管理装置において用いられる管理方法であって、
被管理装置の管理対象項目をＭＩＢ形式で定義する管理項目定義を保持する手段と、前記管理項目定義を読み込み画面表示に必要な属性を抽出する管理項目解析手段と、前記管理項目解析手段で抽出した属性を画面情報に変換する変換手段とを含むことを特徴とする、ネットワーク管理方法。
【発明の詳細な説明】
【技術分野】
【０００１】
本発明は、ネットワークを介して接続された管理装置と被管理装置において、管理装置からＷｅｂ画面を用いて被管理装置を操作するネットワーク管理システムに関するものである。
【背景技術】
【０００２】
近年、家電製品等、ネットワークと接続して外部と情報をやり取りすることにより、新たなサービスを提供する装置が多く登場してきている。これらのネットワーク装置が普及するにつれて、種々の被ネットワーク装置を監視するシステムの必要性が高まっている。
【０００３】
ネットワークデバイスを管理するための方式として、従来より、ＳＮＭＰ（Ｓｉｍｐｌｅ  Ｎｅｔｗｏｒｋ  Ｍａｎａｇｅｍｅｎｔ  Ｐｒｏｔｏｃｏｌ）と呼ばれるプロトコルが広く用いられてきた。ＳＮＭＰでは、被管理装置の情報をＭＩＢ（Ｍａｎａｇｅｍｅｎｔ  Ｉｎｆｏｒｍａｔｉｏｎ  Ｂａｓｅ）と呼ばれるデータベースの形式で保持している。また、被管理装置の管理項目の構成であるＭＩＢ構成は、ＡＳＮ．１（Ａｂｓｔｒａｃｔ  Ｓｙｎｔａｘ  Ｎｏｔａｔｉｏｎ  Ｏｎｅ）と呼ばれる書式で定義される。管理装置は、ＳＮＭＰを用い、ネットワークを介して被管理装置のＭＩＢを操作し、被管理装置の制御を行う。
【０００４】
一方、家電機器などの一般の機器がネットワークに接続されるに伴って、ＳＮＭＰを用いない簡易な管理操作が要望されている。その１つとして、Ｗｅｂ画面を用いたネットワーク装置の操作が考えられている。図２０に、従来のＷｅｂ画面を用いた制御を行うための、被管理装置の構成を示す。
【０００５】
図２０において、テンプレート画面１９は、あらかじめＷｅｂ画面生成用のエディタ等を用いて作成した操作用の画面ファイルであり、被管理機器４の管理情報を表示する箇所にはキーワードが埋め込まれている。キーワード対応表２０は、前記テンプレート画面１９の中で、被管理機器４の管理情報を表示する箇所に埋め込まれたキーワードと、表示すべき管理情報との対応を示したものであり、テンプレート画面１９と同時に、あらかじめ作成されるものである。管理項目定義１１は、被管理装置４の管理項目をＡＳＮ．１で定義しているものであり、管理情報ベース１４の構成を表しているものである。管理情報ベース１４は、被管理装置４の管理情報を保持しているＭＩＢ形式のデータベースであり、制御処理部１３は、管理情報ベース１４からの情報取得や操作などを行う制御部である。
【０００６】
管理装置からの要求を受信すると、プロトコル処理部１５は、画面生成部１２に対して画面表示の要求を発行する。プロトコル処理部１５から画面表示の要求を受信すると、画面生成部１２のキーワード置換部１２９において、テンプレート画面を読み込み、その中のキーワードを検索する。キーワードが見つかった場合、キーワード対応表２０を参照し、要求されたキーワードに対応する情報を制御処理部１３に対して要求する。制御処理部１３は、要求された管理項目の情報を管理情報ベース１４から取得し、キーワード置換部１２９に渡す。キーワード置換部１２９では、制御処理部１３から渡された情報をキーワードと置き換えて画面を生成し、プロトコル処理部１５へ出力する。プロトコル処理部１５では出力された画面情報を、管理装置に送信する。
【０００７】
以上のように、ネットワーク管理システムにおいてＷｅｂ画面を用いて操作を行う場合、操作を行うためのＷｅｂ画面は手作業で作成したものを用い、その中の管理項目に相当する位置にキーワードを埋め込むことが一般的であった。
【特許文献１】特開２０００−３５３１４０号公報
【発明の開示】
【発明が解決しようとする課題】
【０００８】
しかしながら、前記従来の構成では、操作する機器毎に操作用のＷｅｂ画面をあらかじめ作成する必要があったため、新たな機器にＷｅｂによるアクセス機能を搭載する際に、操作用の画面を個別に作成しなければならないという問題があった。
【０００９】
本発明は、前記従来の課題を解決するもので、被管理装置の操作画面を個別に作成する必要のないネットワーク被管理装置を提供することを目的とする。
【課題を解決するための手段】
【００１０】
前記従来の課題を解決するために、本発明のネットワーク被管理装置は、被管理装置の管理対象項目をＭＩＢ形式で定義する管理項目定義と、前記管理項目定義を読み込み画面表示に必要な属性を抽出する管理項目解析部と、前記管理項目解析部で抽出した属性を画面情報に変換する変換部とを有し、これにより被管理装置のＷｅｂ操作画面を生成する。
【００１１】
このように、管理項目定義から画面を生成することによって、個々の装置のＷｅｂ操作画面を人の手を介すことなく、自動的に生成することができる。
【００１２】
また、ＭＩＢに定義されない属性を管理項目毎に定義する追加属性定義を有し、前記解析部において前記追加項目定義を読み込み前記管理項目の属性として抽出し、出力するＷｅｂ操作画面に反映させる。
【００１３】
このように、ＭＩＢ定義に含まれない内容であっても、追加項目定義に記載することによって、出力するＷｅｂ操作画面に反映させることが出来る。
【００１４】
さらに、認証機能を有するプロトコル処理部を備え、前記追加項目定義において管理項目ごとのアクセスレベルを定義し、前記変換部において、プロトコル処理部から通知された認証情報と追加項目定義に定義されるアクセスレベルを比較し、許可されている項目に対して変換を行う機能を有することによって、認証されたユーザに対応するＷｅｂ操作画面を出力する。
【００１５】
このように、認証されたユーザに許可された項目のみ変換を行うことによって、管理操作を行うユーザのレベルに合わせた、異なるＷｅｂ操作画面を出力することが出来る。
【発明の効果】
【００１６】
本発明のネットワーク被管理装置によれば、管理項目定義からＷｅｂ画面を生成することによって、Ｗｅｂアクセス機能を容易に被管理装置に実装することができる。
【発明を実施するための最良の形態】
【００１７】
以下本発明の実施の形態について、図面を参照しながら説明する。
【００１８】
（実施の形態１）
図１は、本発明の実施の形態１におけるネットワーク被管理装置を示すブロック図である。図２０と同じ構成要素については同じ符号を用い、説明を省略する。
【００１９】
図１において、画面生成部１２は、管理項目定義を読み込み属性を抽出する管理項目解析部１２０と、管理項目の属性を対応するＨＴＭＬのタグに変換する変換部１２１と、変換部１２１より出力された画面情報をＨＴＭＬドキュメントに整形する画面出力部１２２と、管理項目解析部１２０の解析した情報を格納する解析結果１２３で構成される。プロトコル処理部１５は、管理装置からの画面表示要求を受信し、被管理装置の応答を送信するためのＨＴＴＰプロトコル処理を行う処理部である。
【００２０】
前述のように構成されたネットワーク被管理装置について、以下図１、図２、図３、図４、図５、図６、図７を用いて動作を説明する。
【００２１】
図２は、本発明の実施の形態１における管理項目定義１１の一例を示すものである。
【００２２】
図３は、本発明の実施の形態１における管理項目解析部１２０の出力する解析結果１２３の概念図である。
【００２３】
図４は、本発明の実施の形態１における変換部１２１の有する変換テーブルの概念図である。
【００２４】
図５は、本発明の実施の形態１における変換部１２１の有する表示指定テーブルの概念図である。
【００２５】
図６は、本発明の実施の形態１における変換部１２１での処理の流れを示すフローチャートである。
【００２６】
図７は、本発明の実施の形態１において出力されるＷｅｂ画面のＨＴＭＬドキュメントである。
【００２７】
ネットワーク被管理装置１は、管理装置からネットワークを介して操作要求を受信する。操作要求は、プロトコル処理部１５で所定のプロトコル処理を行った後、画面生成部１２に通知される。
【００２８】
画面生成部１２では、まず管理項目解析部１２０において、管理項目定義１１に定義されているＭＩＢ形式の管理項目定義の解析を行う。管理項目解析部１２０の解析方法について、図２と図３を用いて説明する。図２は管理項目定義１１に定義されている、ＡＳＮ．１で記述されたＭＩＢ定義ファイルの一部である。図２に示されている表記で、「ｓｙｓＤｅｓｃｒ」という項目名のオブジェクトが定義されている。まず、管理項目解析部１２０では、ＭＩＢ定義のＳＹＮＴＡＸ項目より、管理項目の型と値の範囲を抽出する。また、ＭＡＸ−ＡＣＣＥＳＳの項目より、Ｒ／Ｗ属性を抽出する。このように抽出した情報を、解析結果１２３内の、図３の項目番号１の欄に出力する。同様の手順で、管理項目定義１１に定義されているオブジェクトについて順次解析を行う。
【００２９】
管理項目解析部１２０における解析処理が終了すると、変換部１２１において、解析結果１２３と変換部１２１の有する変換表を用いて、管理項目をＨＴＭＬタグに変換する。変換部１２１の処理を図６のフローチャートと図４、図５を用いて説明する。
【００３０】
変換部１２１では、解析結果１２３に格納された管理項目情報を順次１つづつ読み込んでＨＴＭＬへの変換を行う。最後まで処理した時点で、変換処理を終了する（ステップ６０１）。まず、管理項目情報のＲ／Ｗ属性をチェックする（ステップ６０２）。Ｒ０属性である場合は、図４のＲＯ用のＨＴＭＬタグパターンを取り出し（ステップ６０３）、項目名を管理項目情報の管理項目名に置き換える（ステップ６０４）。ＲＷ属性である場合は、図４のＲＷ用のＨＴＭＬタグパターンを取り出し（ステップ６０５）、項目名と項目番号を管理項目情報の管理項目名と項目番号に置き換える（ステップ６０６）。その後、制御処理部１３を介して、該当する管理項目の値を管理情報ベース１４から取得する（ステップ６０７）。値が取得できると、図５の対応表より管理項目情報の型に割り当てられている表示方法を検索する（ステップ６０８）。表示方法が指定されている場合は、指定の方法で取得した値を変換する（ステップ６０９）。変換した値、もしくは、指定のないばあいはそのままの値でＨＴＭＬパターンの値を置き換える（ステップ６１０）。
【００３１】
全ての管理項目情報のＨＴＭＬタグへの変換が終了すると、画面出力部１２２において、ＨＴＭＬタグや操作用のＦＯＲＭタグなど、ＨＴＭＬドキュメントの体裁を整えるためのタグを付加し、図７に示すＨＴＭＬドキュメントを生成する。
【００３２】
以上のように、管理項目定義より変換してＷｅｂ操作画面を生成することによって、人の手を介さずに操作画面を生成することが可能となる。
【００３３】
なお、本実施の形態では、変換部ではＲ／Ｗ属性のみを参照して変換を行い、ＲＷ属性の管理項目は全てテキストタイプのフォームコントロールに変換しているが、値の範囲など解析結果中の他の情報によって、異なるフォームコントロールのタイプに変換することも可能である。
【００３４】
また、本実施の形態では、被管理装置に定義されている管理項目を全てＷｅｂ画面に表示するものとしたが、定義されている管理項目をグループに分け、管理装置からの要求ＵＲＬにグループを指定する情報を含めることによって、一部の管理項目のみを表示するＷｅｂ画面を生成することも可能である。
【００３５】
また、本実施の形態では、画面生成部の構成要素を全て１つの装置に配置しているが、管理項目定義と管理項目解析部を別装置に配置して解析結果を出力し、この解析結果のみをネットワーク被管理装置に配置して処理を行うことも可能である。
【００３６】
また、本実施の形態では、変換部で直接ＨＴＭＬファイルを出力しているが、変換部の出力をＸＳＬファイルとして出力し、管理情報ベースの出力をＸＭＬファイルとして出力し、管理装置側でＨＴＭＬに変換することも可能である。さらに、前記のＸＭＬファイルとＸＳＬファイルとを出力する構成の場合、ＸＳＬファイルはあらかじめ管理項目から変換したものを生成しておき、被管理装置内部に配置しておくことも可能である。
【００３７】
（実施の形態２）
図８は、本発明の実施の形態２におけるネットワーク被管理装置を示すブロック図である。図１および図２０と同じ構成要素については同じ符号を用い、説明を省略する。
【００３８】
図８において、画面生成部１２は、管理項目定義１１と追加属性定義１６を読み込み属性を抽出する管理項目解析部１２４と、管理項目の属性を対応するＨＴＭＬのタグに変換する変換部１２５と、変換部１２５より出力された画面情報をＨＴＭＬドキュメントに整形する画面出力部１２２と、管理項目解析部１２４の解析した情報を格納する解析結果１２６で構成される。
【００３９】
前述のように構成されたネットワーク被管理装置について、以下図８、図９、図１０、図１１、図１２、図１３を用いて動作を説明する。
【００４０】
図９は、本発明の実施の形態２における追加属性定義１６の一例を示すものである。
【００４１】
図１０は、本発明の実施の形態２における管理項目解析部１２４の出力する解析結果１２６の概念図である。
【００４２】
図１１は、本発明の実施の形態２における変換部１２５の有する表示指定テーブルの概念図である。
【００４３】
図１２は、本発明の実施の形態２における変換部１２５での処理の流れを示すフローチャートである。
【００４４】
図１３は、本発明の実施の形態２において出力されるＷｅｂ画面のＨＴＭＬドキュメントである。
【００４５】
ネットワーク被管理装置２は、管理装置からネットワークを介して操作要求を受信する。操作要求は、プロトコル処理部１５で所定のプロトコル処理を行った後、画面生成部１２に通知される。
【００４６】
画面生成部１２では、まず管理項目解析部１２４において、本発明の実施の形態１と同様の手順を用いてＭＩＢ形式の管理項目定義の解析を行う。その後、追加属性定義１６を読み込み、解析を行う。追加属性定義１６の解析方法について、図９と図１０と図１１を用いて説明する。図９は本発明の実施の形態２における追加情報定義１６に定義されている内容を示すものである。図９において、「ａｌｉａｓ」というコマンドで管理項目名の表示名を、「ｃｏｌｏｒ」というコマンドで、値の表示色を定義している。
【００４７】
まず、管理項目解析部１２４では、「ａｌｉａｓ」コマンドを解析し、該当する管理項目の解析結果に指定された表示名を出力する。図９の追加属性ファイルには、２つの表示名が定義されているため、図１０において、項目番号４と項目番号ｎの行の表示名の欄に、定義された表示名が格納される。
【００４８】
次に、「ｃｏｌｏｒ」コマンドを解析し、該当する属性値を有する型の表示指定テーブルに色情報を出力する。図９の追加属性ファイルには、「ｃｒｉｔｉｃａｌ」という属性に「＃ｆｆ００００」という色を割り当てている。このため、図１１において、「ｃｒｉｔｉｃａｌ」という属性値を有する「ＰａｎａＮｃｅＴｃＳｅｖｅｒｉｔｙ」という型の色指定として、「ｃｒｉｔｉｃａｌ：＃ｆｆ００００」という情報が格納される。
【００４９】
管理項目解析部１２４における解析処理が終了すると、変換部１２５において、解析結果１２６と変換部１２５の有する変換表を用いて、管理項目をＨＴＭＬタグに変換する。変換部１２５の処理を図１２のフローチャートを用いて説明する。
【００５０】
図６と同じ記号で示されるステップの処理は、本発明の実施の形態１と同じである。
【００５１】
ステップ６０３、ステップ６０５においてＨＴＭＬタグパターンを取り出した後、表示名が指定されているか判断し（ステップ６１１、ステップ６１３）、指定されている場合は、ＨＴＭＬタグパターンの項目名を表示名で置き換える（ステップ６１２、ステップ６１４）０４）。また、ステップ６１０においてＨＴＭＬタグパターンの値を管理情報ベースから取得した値で置き換えた後、該当の値に色指定されているか確認し、色指定されている場合は、値に色情報を示すＨＴＭＬタグを追加する。全ての管理項目情報からＨＴＭＬタグへの変換が終了すると、画面出力部１２２において、ＨＴＭＬドキュメントの体裁を整え、図１３に示すＨＴＭＬドキュメントを生成する。
【００５２】
以上のように、追加情報定義に表示用の管理項目名と属性の色表情報を定義することによって、管理項目の表示を日本語化するなどの表示の変更や、属性値によって表示色を変更することが可能になる。
【００５３】
なお、本実施の形態では、管理項目の表示名と属性値の色指定を追加情報ファイルに定義したが、追加情報ファイルの定義コマンドを増やすことによって、管理項目の書式やフォント、Ｗｅｂ操作画面のタイトルなど、他の表示に関する属性を定義し、Ｗｅｂ操作画面に反映させることも可能である。
【００５４】
（実施の形態３）
図１４は、本発明の実施の形態３におけるネットワーク被管理装置を示すブロック図である。図１および図８および図２０と同じ構成要素については同じ符号を用い、説明を省略する。
【００５５】
図１４において、画面生成部１２は、管理項目定義１１と追加属性定義１６を読み込み属性を抽出する管理項目解析部１２４と、ユーザ情報を保持し管理項目の属性をユーザのアクセスレベルに応じてＨＴＭＬのタグに変換する変換部１２７と、変換部１２７より出力された画面情報をＨＴＭＬドキュメントに整形する画面出力部１２２と、管理項目解析部１２４の解析した情報を格納する解析結果１２８で構成される。プロトコル処理部１７は、プロトコル独自の認証処理部１７０を有するＨＴＴＰプロトコル処理を行う処理部である。
【００５６】
前述のように構成されたネットワーク被管理装置について、以下図１４、図１５、図１６、図１７、図１８、図１９を用いて動作を説明する。
【００５７】
図１５は、本発明の実施の形態３における追加属性定義１６の一例を示すものである。
【００５８】
図１６は、本発明の実施の形態３における管理項目解析部１２４の出力する解析結果１２８の概念図である。
【００５９】
図１７は、本発明の実施の形態３におけるユーザ管理部１８に格納されるユーザ管理テーブルの概念図である。
【００６０】
図１８は、本発明の実施の形態３における変換部１２７での処理の流れを示すフローチャートである。
【００６１】
図１９は、本発明の実施の形態３において出力されるＷｅｂ画面のＨＴＭＬドキュメントである。
【００６２】
ネットワーク被管理装置３は、管理装置からネットワークを介して操作要求を受信する。プロトコル処理部１７で操作要求を受信すると、認証処理部１７０においてユーザ認証を起行う。認証に成功した場合、所定のプロトコル処理を行った後、操作要求が画面生成部１２に通知される。また認証処理部１７０より、認証に成功したユーザ名を変換部１２７に通知する。
【００６３】
画面生成部１２では、まず管理項目解析部１２４５において、本発明の実施の形態１と同様の手順を用いてＭＩＢ形式の管理項目定義の解析を行う。その後、追加属性定義１６を読み込み、解析を行う。追加属性定義１６の解析方法について、図１５と図１６を用いて説明する。図１６は本発明の実施の形態３における追加情報定義１６に定義されている内容を示すものである。図１５において、「ａｃｃｅｓｓ」というコマンドで管理項目名に対してアクセを許可するアクセスレベルを定義している。
【００６４】
管理項目解析部１２４では、「ａｃｃｅｓｓ」コマンドを解析し、該当する管理項目の解析結果にアクセスを許可するレベルを出力する。図１６に示す検索結果１２８の許可レベルの欄に、定義された許可レベル情報が格納される。
【００６５】
管理項目解析部１２４における解析処理が終了すると、変換部１２７において管理項目をＨＴＭＬタグに変換する。変換部１２７では、ユーザ管理部１８を参照し、認証処理部１７０から通知された認証ユーザ名から、当該ユーザに対応するアクセスレベルに変換する。その後、解析結果１２８と変換部１２７の有する変換表を用いて、ＨＴＭＬタグへの変換処理を行う。変換部１２７の処理を図１８のフローチャートを用いて説明する。
【００６６】
図６と同じ記号で示されるステップの処理は、本発明の実施の形態１と同じである。
【００６７】
ステップ６０１において管理項目情報を取り出した後、当該管理項目が認証されたユーザのアクセスレベルにおいて、アクセスが許可されているか判断し（ステップ６１７）、許可されている場合はステップ６０２のＨＴＭＬタグへの変換処理へと進む。許可されていない場合は、ＨＴＭＬタグへの変換処理を行わず、次の管理項目の取り出し（ステップ６０１）を行う。これを繰り返し、アクセスが許可されている管理項目のみＨＴＭＬタグへの変換を行うこととなる。
【００６８】
変換部１２７におけるＨＴＭＬタグへの変換が終了すると、画面出力部１２２において、ＨＴＭＬドキュメントの体裁を整えるためのタグを付加し、ＨＴＭＬドキュメントを生成する。認証処理部１７０で認証処理されたユーザ名が「ユーザ２」であった場合の出力されるＨＴＭＬドキュメントを図１９に示す。図１７より、「ユーザ２」のアクセスレベルは「レベル２」である。図１９には、「レベル２」に対してアクセス許可されている管理項目のみが表示される。
【００６９】
以上のように、追加情報定義に管理項目へのアクセスを許可するユーザのレベルを定義し、変換部で許可された管理項目のみＨＴＭＬに変換することによって、被管理装置にアクセスするユーザのレベルに合わせた、異なるＷｅｂ操作画面を出力することが可能になる。
【産業上の利用可能性】
【００７０】
本発明にかかるネットワーク被管理装置は、ＭＩＢ定義ファイルから自動的にＷｅｂ画面を生成する機能を有し、ネット家電等の開発サイクルの短い装置にネットワーク被管理機能を搭載するための処理プログラム等として有用である。
【図面の簡単な説明】
【００７１】
【図１】本発明の実施の形態１におけるネットワーク被管理装置を示すブロック図
【図２】本発明の実施の形態１における管理項目定義１１の一例を示した図
【図３】本発明の実施の形態１における管理項目解析部１２０の出力する解析結果１２３の概念図
【図４】本発明の実施の形態１における変換部１２１の有する変換テーブルの概念図
【図５】本発明の実施の形態１における変換部１２１の有する表示指定テーブルの概念図
【図６】本発明の実施の形態１における変換部１２１での処理の流れを示すフローチャート
【図７】本発明の実施の形態１において出力されるＷｅｂ画面のＨＴＭＬドキュメントを示す図
【図８】本発明の実施の形態２におけるネットワーク被管理装置を示すブロック図
【図９】本発明の実施の形態２における追加属性定義１６の一例を示した図
【図１０】本発明の実施の形態２における管理項目解析部１２４の出力する解析結果１２６の概念図
【図１１】本発明の実施の形態２における変換部１２５の有する表示指定テーブルの概念図
【図１２】本発明の実施の形態２における変換部１２５での処理の流れを示すフローチャート
【図１３】本発明の実施の形態２において出力されるＷｅｂ画面のＨＴＭＬドキュメントを示す図
【図１４】本発明の実施の形態３におけるネットワーク被管理装置を示すブロック図
【図１５】本発明の実施の形態３における追加属性定義１６の一例を示した図
【図１６】本発明の実施の形態３における管理項目解析部１２４の出力する解析結果１２８の概念図
【図１７】本発明の実施の形態３におけるユーザ管理部１８に格納されるユーザ管理テーブルの概念図
【図１８】本発明の実施の形態３における変換部１２６での処理の流れを示すフローチャート
【図１９】本発明の実施の形態３において出力されるＷｅｂ画面のＨＴＭＬドキュメントを示す図
【図２０】従来のネットワーク被管理装置を示すブロック図
【符号の説明】
【００７２】
１    ネットワーク管理装置
１１    管理項目定義
１２    画面生成部
１２０    管理項目解析部
１２１    変換部
１２２    画面出力部
１２３    解析結果
１３    制御処理部
１４    管理情報ベース
１５    プロトコル処理部
１６    追加情報定義
１８    ユーザ管理部
【図１】
2006113713.tif 000003
【図２】
2006113713.tif 000004
【図３】
2006113713.tif 000005
【図４】
2006113713.tif 000006
【図５】
2006113713.tif 000007
【図６】
2006113713.tif 000008
【図７】
2006113713.tif 000009
【図８】
2006113713.tif 000010
【図９】
2006113713.tif 000011
【図１０】
2006113713.tif 000012
【図１１】
2006113713.tif 000013
【図１２】
2006113713.tif 000014
【図１３】
2006113713.tif 000015
【図１４】
2006113713.tif 000016
【図１５】
2006113713.tif 000017
【図１６】
2006113713.tif 000018
【図１７】
2006113713.tif 000019
【図１８】
2006113713.tif 000020
【図１９】
2006113713.tif 000021
【図２０】
2006113713.tif 000022